(57)【特許請求の範囲】
【請求項１】
内部に機械式の検出機構の主要部を備えた継電器本体と、
前記継電器本体の上方外壁部上に設けられて前記検出機構の動きに応じて動作するスイッチ手段と、
端子台が固定される仕切り壁部によって仕切られた第１及び第２の部屋を有し、前記第１の部屋が前記上方外壁部によって塞がれる開口部を備え且つ内部に前記スイッチ手段を収納するように構成され、前記第２の部屋が内部に外部接続線を導入し得るように構成されている端子箱とを具備し、
前記端子箱の前記開口部を囲む周壁部の端面にはオーリングが嵌合されたオーリング嵌合溝が形成され、また前記周壁部の外側には前記周壁部の周方向に間隔をあけて複数の取付ねじ挿入用貫通孔が形成されたフランジ部が一体に設けられ、前記オーリング嵌合溝に嵌合された前記オーリングを圧縮して外部から内部に水が浸入するのを防ぐように前記複数の取付ねじ挿入用貫通孔に挿入された複数の取付ねじが締め付けられて前記端子箱が前記閉塞基板の前記外壁部に固定され、
前記端子台は絶縁性成形材料を用いて成形された端子支持台及び前記端子支持台の対向する一対の接続線取付部にそれぞれ接続用端子部が位置するように前記端子支持台に固定された複数の端子導体を備え、
前記端子台は、一方の前記接続線取付部が前記第１の部屋に臨み他方の前記接続線取付部が前記第２の部屋に臨むように前記仕切り壁部に設けられた端子台嵌合孔に前記端子支持台の一部が嵌合された状態で前記仕切り壁部に取付けられ、
前記スイッチ手段から延びる接続線が前記一方の接続線取付部の前記接続用端子部に接続され、前記外部接続線が前記他方の接続線取付部の前記接続用端子部に接続されている継電器であって、
前記端子箱の前記周壁部の前記端面及び前記フランジ部と対向する前記閉塞基板の前記外壁部の対向部分と前記端面及び前記フランジ部との接触面が、前記対向部分の外側に位置する前記外壁部の外面よりも上方に位置するように前記対向部分が前記外面よりも上方に向かって突出していることを特徴とする継電器。
【請求項２】
前記対向部分の輪郭形状は、前記フランジ部と完全に対向するように前記フランジ部の輪郭形状と実質的に一致するか、または前記フランジ部の外側に実質的な水溜まり部が形成されない程度に前記フランジ部の輪郭形状よりも部分的にまたは全体的に僅かに大きい形状を有している請求項１に記載の継電器。
【請求項３】
前記他方の接続線取付部側に位置する複数の前記接続用端子部の一部または全部に前記外部接続線の接続部が接続された状態で、前記他方の接続用端子部及び前記接続部に対しては腐食性を示さず且つ硬化した状態で少なくとも電気絶縁性と耐水性を示すコーキング材により、前記複数の接続用端子部及び前記接続線の前記接続部が覆われていることを特徴とする請求項１に記載の継電器。
【請求項４】
前記一方の接続線取付部側に位置する複数の前記接続用端子部の一部または全部に前記スイッチ手段から延び出る前記接続線の接続部が接続された状態で、前記一方の接続用端子部及び前記接続部に対しては腐食性を示さず且つ硬化した状態で少なくとも電気絶縁性と耐水性を示すコーキング材により、前記複数の接続用端子部及び前記接続線の前記接続部が覆われていることを特徴とする請求項３に記載の継電器。
【発明の詳細な説明】
【０００１】
【発明の属する技術分野】
本発明は、端子箱の内部にスイッチ手段が入った継電器に関するものであり、特にブッフホルツ継電器に好適な継電器に関するものである。
【０００２】
【従来の技術】
実開昭６３−１３１５３４号（実用新案登録第２５３２５９３号）公報や、特開平８−１６８１６４号公報には、油入変圧器の内部故障を検出して外部に警報信号を発生するブッフホルツ継電器の構造が示されている。図５は、特開平８−１６８１６４号公報に示された従来のブッフホルツ継電器１０１を備えた油入変圧器の概略外観図であり、図６は従来のブッフホルツ継電器１０１の概略外観斜視図を示している。図６に示すように、ブッフホルツ継電器１０１は変圧器本体１０２とコンサベータ１０３との間を接続する配管１０４の途中に配置される。ブッフホルツ継電器１０１は、大きく分けて継電器本体１０１Ａと端子箱１０１Ｂとに分けられる。継電器本体１０１Ａは、管路の途中に接続可能に設けられた一対の配管接続用フランジ部１０１ａ，１０１ｂ及び上方に開口する上方開口部を備えたハウジング１０１ｃと、ハウジング１０１ｃの上方開口部を塞ぐ閉塞基板１０１ｄと、閉塞基板１０１ｄに取付けられてハウジング１０１ｃの内部に主要部が配置された図示しない機械式の検出機構を備えている。そして図示していないが、閉塞基板１０１ｄの外壁部上には、端子箱１０１Ｂの内部に配置されて検出機構の動きに応じて動作するリミットスイッチ等のスイッチ手段が取付けられている。端子箱１０１Ｂの内部には、スイッチ手段から延びる接続線と外部接続線１０１Ｃが接続される端子台が収納固定されている。端子箱１０１Ｂは、下部外周にフランジ部１０１ｅが一体に設けられた筒状の角形周壁部１０１ｆと、各形周壁部１０１ｆの上側開口部を閉塞する閉塞板１０１ｇとを備えている。そして端子箱１０１Ｂの内部は、端子台が固定される図示しない仕切り壁部によって上下に二つの部屋に分けられており、下側の部屋に前述のスイッチ手段が収納されている。継電器本体１０１Ａ側に位置する端子箱１０１Ｂの周壁部１０１ｆの端面にはオーリングが嵌合されたオーリング嵌合溝が形成されている。そしてフランジ部１０１ｅに形成した図示しない複数の取付ねじ挿入用貫通孔に挿入したボルト１０１ｈを締め付けることにより端子箱１０１Ｂは、継電器本体１０１Ａの閉塞基板１０１ｄに固定されている。この締め付けにより、図示しないオーリング嵌合溝に嵌合されたオーリングが圧縮されて、スイッチ手段が収納された部屋に外部から水が浸入するのを阻止できる構造（液密構造）になっている。なお継電器本体１０１Ａの内部の機械式の検出機構の具体的な構造及びスイッチ手段の具体例については、前述の実開昭６３−１３１５３４号公報及び特開平８−１６８１６４号公報に詳しく説明されている。
【０００３】
【発明が解決しようとする課題】
従来の構造では、スイッチ手段が収納された部屋に外部から水が浸入するのを阻止する液密構造を用いて端子箱１０１Ｂが継電器本体１０１Ａに対して取付けられている。しかしながら長い年月を経過すると、各部品の製造誤差や経年変化が原因となって、液密構造のシール性能が低下し、スイッチ手段が収納された部屋の内部に、水が入り込むことがある。スイッチ手段が収納された部屋の内部に、水が入り込むと部屋の湿度が上昇する。この湿度の上昇が原因となって、スイッチ手段の接点部が腐蝕して導通不良が発生する。導通不良が発生すると、継電器として機能を果たさなくなるため、重大な事故の発生原因となる。またこの湿度の上昇が、端子台の接続用端子部間で腐蝕（マイグレーション）を進行させて端子部間の絶縁抵抗を低下させ、これが誤信号を発生する原因となることがある。ブッフホルツ継電器では、変圧器本体の内部にガスが溜まったことを示す警報信号や、大きな油流が発生したことを示すトリップ信号が誤信号として出力されることになり、最悪の場合には、この誤信号によって送電が停止されてしまう事態が発生する。
【０００４】
本発明の目的は、端子箱のスイッチ手段が収納される部屋に水が浸入するのを阻止することができる継電器を提供することにある。
【０００５】
本発明の他の目的は、端子箱のスイッチ手段が収納される部屋に水が浸入したとしても、誤信号が発生するのを阻止することができる継電器を提供することにある。
【０００６】
【課題を解決するための手段】
本発明が改良の対象とする継電器は、継電器本体の上方外壁部上に設けられて継電器本体内の検出機構の動きに応じて動作するスイッチ手段を収納するように開口する開口部を有する端子箱を具備し、端子箱の開口部を囲む周壁部の端面と上方外壁部との間にオーリングが配置され、周壁部の外側にフランジ部が一体に設けられて、端子箱のフランジ部が上方外壁部に対して固定されている継電器である。より具体的には、内部に機械式の検出機構の主要部を備えた継電器本体と、継電器本体の上方外壁部に設けられて検出機構の動きに応じて動作するスイッチ手段と、端子台が固定される仕切り壁部によって仕切られた第１及び第２の部屋を有し、第１の部屋が前記上方外壁部によって塞がれる開口部を備え且つ内部にスイッチ手段を収納するように構成され、第２の部屋が内部に外部接続線を導入し得るように構成されている端子箱とを具備している。
【０００７】
例えばブッフホルツ継電器のような管路の途中に設けられてガスの発生や流体の大きな流れを検出する用途に用いられる継電器の場合には、継電器本体は、管路の途中に接続可能に設けられた一対の配管接続用開口部及び上方に開口する上方開口部を備えたハウジングと、上方開口部を塞ぐ閉塞基板と、閉塞基板に取付けられてハウジングの内部に主要部が配置された機械式の検出機構とを備えている。なお機械式の検出機構は、ブッフホルツ継電器のようなフロートを用いたフロート式の検出機構であっても、その他の原理で動作する検出機構であってもよく、その構造は任意である。
【０００８】
そして本発明が改良の対象とする継電器で用いる端子箱は、端子箱の周壁部のフランジ部と対向する上方外壁部の対向部分が該対向部分の外側に位置する上方外壁部の外面よりも上方に向かって突出している。より具体的には、端子箱の開口部を囲む周壁部の端面にオーリングが嵌合されるオーリング嵌合溝が形成され、また周壁部の外側には複数の取付ねじ挿入用貫通孔が形成されたフランジ部が一体に設けられたものである。この端子箱は、オーリング嵌合溝に嵌合されたオーリングを圧縮して外部から内部に水が浸入するのを防ぐように複数の取付ねじ挿入用貫通孔に挿入された複数の取付ねじが締め付けられて継電器本体の上方外壁部（具体的には、閉塞基板の外壁部）に対して固定される。
【０００９】
端子箱内に設けられる端子台は、絶縁性成形材料を用いて成形された端子支持台とこの端子支持台の対向する一対の接続線取付部にそれぞれ接続用端子部が位置するように端子支持台に固定された複数の端子導体とを備えている。この端子台は、一方の接続線取付部が端子箱内の第１の部屋に臨み他方の接続線取付部が端子箱内の第２の部屋に臨むように、仕切り壁部に設けられた端子台嵌合孔に端子支持台の一部が嵌合された状態で仕切り壁部に取付けられている。そして第１の部屋に収納されたスイッチ手段から延びる接続線が一方の接続線取付部の接続用端子部に接続され、第２の部屋に引き込まれた外部接続線が他方の接続線取付部の接続用端子部に接続される。
【００１０】
本発明では、端子箱の周壁部のフランジ部と対向する上方外壁部（または閉塞基板の外壁部）の対向部分が該対向部分の外側に位置する上方外壁部の外面よりも上方に向かって突出している。具体的には、端子箱の周壁部の端面及びフランジ部と対向する閉塞基板の外壁部の対向部分と前記端面及びフランジ部との接触面が、対向部分の外側に位置する外壁部の外面よりも上方に位置するように対向部分が外面よりも上方に向かって突出している。このような構造を採用すると、端子箱のフランジ部と継電器本体の上方外壁部（または閉塞基板の外壁部）の対向部分との間に形成される接合部と、継電器本体の上方外壁部（または閉塞基板の外壁部）の主要な外面（対向部分の外側に位置する外面）との間には、段差が形成されることになる。そのため継電器に雨水が降り注いだ場合、雨水は段差の下側に位置する前述の主要な外面に溜まった後に、端子箱の外側へと流れ落ちていく。そして雨が上がった後に前述の主要な外面に残った雨水は、自然に蒸発して消滅する。本発明のように対向部分を上方に向かって突出させると、端子箱のフランジ部と継電器本体の上方外壁部（または閉塞基板の外壁部）の対向部分との間に形成される接合部を、前述の主要な外面よりも上方に位置させることができるので、接合部が水溜まりに常時漬かった状態になることが実質的にない。そのため端子箱と継電器本体との間の液密構造の性能が、加工誤差や経年変化によって多少低下していても、端子箱のスイッチ手段が収納された部屋に水が浸入するのを実質的に阻止することができる。対向部分の突出寸法は、この作用効果が得られる範囲であればよく、前述の主要な外面の形状によっても、この突出寸法は異なってくる。
【００１１】
なお対向部分の輪郭形状は、フランジ部と完全に対向するようにフランジ部の輪郭形状と実質的に一致するか、またはフランジ部の外側に実質的な水溜まり部が形成されない程度にフランジ部の輪郭形状よりも部分的にまたは全体的に僅かに大きい形状にするのが好ましい。このようにすると接合部の周囲に水溜まり部が完全に存在しないかまたは実質的に存在しない状態になるため、最良の効果が得られる。
【００１２】
端子箱の外部接続線が導入される部屋（即ち第２の部屋）には、外部から水が浸入することを予定している。そのため一般的には、この第１の部屋に対してはこの部屋から外部に水抜きをするための水抜き孔が形成されている。このようなことから第２の部屋に臨む端子台の接続用端子部間の絶縁抵抗は低下しやすい。そこでこのようなことを防止するためには、第２の部屋側に位置する他方の接続線取付部側の複数の接続用端子部の一部または全部に外部接続線の接続部が接続された状態で、他方の接続用端子部及び接続部に対しては腐食性を示さず且つ硬化した状態で少なくとも電気絶縁性と耐水性を示すコーキング材（一般的にはシリコーンゴム）により、これらの接続用端子部及び接続線の接続部を覆うのが好ましい。このようにすると接続用端子部間でマイグレーションが発生するのをある程度有効に防止できる。
【００１３】
また同様にして、第１の部屋側に位置する一方の接続線取付部の複数の接続用端子部の一部または全部にスイッチ手段から延び出る接続線の接続部が接続された状態で、前述のコーキング材によりこれらの接続用端子部及び接続線の接続部を覆うようにしてもよい。従来は、第１の部屋は液密構造を有しているため、このような対策を施す必要はないと考えられていた。しかしながら第１の部屋を絶対的な液密状態にして内部の湿度を常に低い状態に維持することも容易ではない。またマイグレーションの外に、端子台の端子支持台を構成する絶縁性材料の材質によっては、端子支持台の表面に腐蝕物が発生することがあり、この腐蝕物が端子部間の絶縁抵抗を低下させる原因になっていることが分かってきた。そこで第１の部屋側でも前述のコーキング材を用いた被覆を実施すれば、第１の部屋側での腐蝕の発生をより効果的に防止できる。
【００１４】
【発明の実施の形態】
以下図面を参照して本発明の実施の形態を詳細に説明する。図１乃至図３は、本発明をブッフホルツ継電器１に適用した実施の形態の一例の一部切り欠き正面図、一部切り欠き左側面図及び一部切り欠き平面図である。これらの図において、２は継電器本体であり、３は端子箱である。継電器本体２は、金属製のハウジング４と金属製の閉塞基板５とからなるケース６を備えている。ハウジング４は、変圧器本体とコンサベータとをつなぐ管路の途中に接続可能なように、一対の配管接続用開口部を構成するフランジ付き接続用管部４ａ及び４ｂと、上方に開口する上方開口部４ｃとを備えている。ハウジング４の上方開口部４ｃの外周部には環状の閉塞基板取付用フランジ部４ｄが一体に設けられている。このフランジ部４ｄには、周方向に所定の間隔をあけて複数のボルト取り付け用ねじ孔４ｅ…が形成されている。そして閉塞基板５は、ハウジング４の上方開口部４ｃを塞ぐように配置されている。閉塞基板５には、ハウジング４のフランジ部４ｄに形成されたねじ孔４ｅ…と整合する図示しない貫通孔に挿入された複数本のボルト７を用いてフランジ部４ｄに固定されている。８は、閉塞基板５に取付けられてハウジング４の内部に主要部が配置された機械式の検出機構である。
【００１５】
機械式の検出機構の具体的な構成は、実開昭６３−１３１５３４号公報や特開平８−１６８１６４号公報に示されたフロート式の検出機構と基本的には同じであるため、その詳細については説明を省略する。なお８ａは、変圧器から発生し、ハウジング内に集積するガス量を検出する第１のフロートであり、８ｂは絶縁油の奔流を検出する第２のフロートであり、８ｃが第１及び第２のフロートの動きを閉塞基板５の外側に位置する外壁部（継電器本体の上方外壁部）上に配置された２つのスイッチ手段を構成するリミットスイッチ９，９に伝達するリンク機構を含む伝達機構の一部である。なおこの伝達機構の残りの部分８ｄは、閉塞基板５の外壁部上に配置されてリミットスイッチ９，９を駆動する駆動機構を構成する。
【００１６】
リミットスイッチ９，９は、閉塞基板５の外壁部に設けられて検出機構の動きに応じて動作する。一方のリミットスイッチ９は、第１のフロート８ａと連動して、発生したガス量が所定量以上ハウジング内に集積したときにオン状態になって、警報信号を出力する。また他方のリミットスイッチ９は、第２のフロート８ｂと連動して、絶縁油の奔流が発生したときにオン状態となって送電を停止させるトリップ信号を出力する。なお、特開平８−１６８１６４号公報に示されるように、これらのリミットスイッチに代えてリードスイッチを用いてもよいのは勿論である。
【００１７】
端子箱３は、金属製の箱本体１０と金属製の蓋部材１１とを備えている。箱本体１０は角型筒形状を有しており、その内部には後述する端子台１８が固定される仕切り壁部１０ａが一体に設けられている。端子箱３は、その内部に端子台が固定された仕切り壁部１０ａによって仕切られた第１及び第２の部屋１２及び１３を有している。箱本体１０は、第１の部屋１２が閉塞基板５によって塞がれる開口部１０ｂを備え且つ内部にリミットスイッチ９，９を収納するように構成されている。図２に示すように、端子箱３の箱本体１０の開口部１０ｂを囲む周壁部１０ｃの端面にはオーリング１５が嵌合されたオーリング嵌合溝１４が形成されている。オーリング嵌合溝１４は、開口部１０ｂに沿って延び環状に形成されている。またオーリング１５は、ゴム等の公知の弾性材料により形成されたリングである。
【００１８】
箱本体１０の周壁部１０ｃの外側には，周壁部１０ｃの周方向に間隔をあけて複数の取付ねじ挿入用貫通孔（図示せず）が形成されたフランジ部１０ｄが一体に設けられている。箱本体１０は、オーリング嵌合溝１４に嵌合されたオーリング１５を圧縮して外部から箱本体１０の内部に水が浸入するのを防ぐように図示しない複数の取付ねじ挿入用貫通孔に挿入された複数の取付ねじ１６…が締め付けられて閉塞基板５の外壁部に固定されている。閉塞基板５の外壁部に一体に設けられて端子箱３の箱本体１０の端面及びフランジ部１０ｄと対向する対向部分５ａには、取付ねじ１６…が螺合される複数の雌捩子孔が形成されている。なお閉塞基板５の外壁部の対向部分５ａは、この対向部分５ａと箱本体１０の端面及びフランジ部１０ｄとの接触面ＣＳが、対向部分５ａの外側に位置する上方外壁部の外面５ｂよりも上方に位置するように、外面５ｂよりも上方に向かって突出している。この対向部分５ａの外面５ｂからの突出寸法は、約５〜７ｍｍ程度である。
【００１９】
なお対向部分５ａの輪郭形状は、フランジ部１０ｄと完全に対向するようにフランジ部１０ｄの輪郭形状と実質的に一致するのが理想である。しかしながらこの例では、図３に示されるように、フランジ部１０ｄの外側に実質的な水溜まり部が形成されない程度にフランジ部１０ｄの輪郭形状よりも部分的に僅かに突出する部分５ａ1 …を有する輪郭形状を対向部分５ａが有している。この例では、フランジ部１０ｄの外周部と対向部分５ａの外周部と外面５ｂとに跨がるようにしてまたは接触面ＣＳを覆うようにして、シリコーンゴム等からなるシーリング材を塗布して、接触面ＣＳから水が内部に入るのを防止している。なおこのようなシーリング材だけでは、長い年月に渡って完全な防水効果を維持することはできない。
【００２０】
また箱本体１０は、第２の部屋１３の内部に図示しない外部接続線を導入するための開口部１０ｅを有している。この開口部１０ｅには、外部接続線を第２の部屋１３に導入するためのコネクタが嵌合される。蓋部材１１は、箱本体１０の上側開口部を囲む端面に対してねじ１７…を用いて固定されている。
【００２１】
端子箱３の内部の仕切り壁部１０ａには、端子台１８の端子支持台１９の一部が端子台嵌合孔１０ａ1 （図１参照）に嵌合された状態で端子台１８が固定されている。図４（Ａ）〜（Ｃ）は、端子台１８の平面図、IVＢ−IVＢ線断面図及び底面図をそれぞれ示している。端子台１８は、端子支持台１９とこの端子支持台１９にインサート成形された５本の端子導体２０…とから構成される。端子支持台１９は、合成樹脂とガラス繊維とを主成分とする主原料に硬化剤を含む添加剤が添加されてなる絶縁性成形材料を用いて成形されている。この例では、絶縁性成形材料に用いる合成樹脂としてジアルフタレートプレポリマーが用いられており、添加剤にはＣａ成分を含まないものが用いられている。またこの例では合成樹脂の配合量よりもガラス繊維の配合量を多くしている。ちなみに合成樹脂とガラス繊維の配合比は、４０：６０である。
【００２２】
図４（Ａ）及び（Ｂ）に示すように、端子支持台１９には、その対向する一対の接続線取付部１９ａ及び１９ｂに、端子導体２０…の両端の接続用端子部２０ａ…及び２０ｂ…が位置するように、端子導体２０…がインサート成形されている。端子支持台１９の上方に位置する接続線取付部１９ａには、各端子導体２０の接続用端子部２０ａ…の間及び接続用端子部２０ａ…の列の両端に沿面距離増大用の突出壁部１９ｃ…が一体に設けられている。また図４（Ｂ）及び（Ｃ）に示すように端子支持台１９の下方に位置する接続用取付部１９ｂには、各端子導体２０の接続用端子部２０ｂ…の間に突出壁部１９ｄ…が一体に設けられており、また接続用端子部２０ｂを囲み且つ突出壁部１９ｄと繋がるように環状の突出壁部１９ｅが一体に設けられている。図４（Ｃ）において、環状の突出壁部１９ｅの外側に形成された環状の溝１９ｆは、図１及び図２に示したオーリング２１が嵌合されるオーリング嵌合溝である。
【００２３】
端子支持台１９の外周部分には、この取付ねじ挿入用貫通孔２２が形成されている。端子支持台１９は、取付ねじ挿入用貫通孔２２に挿入された取付ねじ２３（図１及び図２参照）を用いて仕切り壁部１０ａにねじ止めされている。図１に示されるように、仕切り壁部１０ａには第２の部屋から水を外部に排出する水抜き孔１０ｇが形成されている。
【００２４】
端子導体２０…は、真鍮（銅を主成分とした亜鉛等を含む合金）によって形成されている。端子導体２０…は、両端に雌型の接続用端子部をそれぞれ備えている。また端子導体２０…には、長手方向に間隔をあけて２つの回り止め用のローレット加工部２０ｃ…がそれぞれ形成されている。真鍮が腐食すると、その表面に銅酸化物や亜鉛酸化物の腐食物が発生し、この腐食物がマイグレーションによって隣接する導電部に延びる。端子支持台１９に設けられた突出壁部１９ｃ…及び１９ｄ…はこれらの腐食物の延びに対して沿面距離を延ばす目的で設けられている。
【００２５】
端子台１８は、一方の接続線取付部１９ｂが第１の部屋１２に臨み他方の接続線取付部１９ａが第２の部屋１３に臨むように仕切り壁部１０ａに設けられた端子台嵌合孔１０ａ1 に端子支持台１９の一部が嵌合された状態で仕切り壁部１０ａに取付けられている。そしてリミットスイッチ９，９から延びる図示しない接続線が端子箱３内の第１の部屋１２側に位置する接続線取付部１９ｂ側に位置する接続用端子部２０ｂ…に接続される。この接続には、接続用端子部２０ｂ…に螺合される雄ねじが利用される。また第２の部屋１３に導入される外部接続線は、第２の部屋１３内に位置する他方の接続線取付部１９ａの接続用端子部２０ａ…に接続される。この接続にも、接続用端子部２０ａ…に螺合される雄ねじが利用される。
【００２６】
なお図示していないが、この例では、接続線取付部１９ａ側に位置する複数の接続用端子部２０ａ…の一部または全部に外部接続線の接続部が接続された状態で、接続用端子部２０ａ…及び外部接続線の接続部に対して腐食性を示さず且つ硬化した状態で少なくとも電気絶縁性と耐水性を示すシリコーンゴムからなるコーキング材により、接続用端子部２０ａ…及び前述の接続線の接続部を覆っている。またこの例では、図示していないが、接続線取付部１９ｂ側に位置する接続用端子部２０ｂの一部または全部にリミットスイッチ９，９から延び出る接続線の接続部が接続された状態で、前述と同じコーキング材を用いて、接続用端子部２０ｂ…及び接続線の接続部を覆っている。このようにすると接続用端子部間でマイグレーションが発生するのをある程度有効に防止できる。
【００２７】
上記実施例は、ブッフホルツ継電器に本発明を適用した例であるが、本発明は、油流継電器等のその他の継電器に適用できる。
【００２８】
以下本願明細書中に記載した発明の構成の一例を以下に記載する。
【００２９】
（１）管路の途中に接続可能に設けられた一対の配管接続用開口部及び上方に開口する上方開口部を備えたハウジング、前記上方開口部を塞ぐ閉塞基板並びに前記閉塞基板に取付けられて前記ハウジングの内部に主要部が配置された機械式の検出機構を備えてなる継電器本体と、
前記継電器本体の上方外壁部上に設けられて前記検出機構の動きに応じて動作するスイッチ手段と、
端子台が固定される仕切り壁部によって仕切られた第１及び第２の部屋を有し、前記第１の部屋が前記上方外壁部によって塞がれる開口部を備え且つ内部に前記スイッチ手段を収納するように構成され、前記第２の部屋が内部に外部接続線を導入し得るように構成されている端子箱とを具備し、
前記端子箱の前記開口部を囲む周壁部の端面にはオーリングが嵌合されるオーリング嵌合溝が形成され、また前記周壁部の外側には複数の取付ねじ挿入用貫通孔が形成されたフランジ部が一体に設けられ、前記オーリング嵌合溝に嵌合された前記オーリングを圧縮して外部から内部に水が浸入するのを防ぐように前記複数の取付ねじ挿入用貫通孔に挿入された複数の取付ねじが締め付けられて前記端子箱が前記上方外壁部に対して固定されている継電器であって、
前記端子箱の前記周壁部の前記フランジ部と対向する前記上方外壁部の対向部分が該対向部分の外側に位置する前記上方外壁部の外面よりも上方に向かって突出していることを特徴とする継電器。
【００３０】
【発明の効果】
本発明によれば、端子箱のフランジ部と継電器本体の上方外壁部（または閉塞基板の外壁部）の対向部分との間に形成される接合部が水溜まりに常時漬かった状態になることが実質的にないため、端子箱と継電器本体との間の液密構造の性能が、加工誤差や経年変化によって多少低下していても、端子箱のスイッチ手段が収納された部屋に水が浸入するのを阻止することができる。
【図面の簡単な説明】
【図１】  本発明をブッフホルツ継電器に適用した実施の形態の一例の一部切り欠き正面図である。
【図２】  図１に示した実施の形態の一部切り欠き左側面図である。
【図３】  図１に示した実施の形態の一部切り欠き平面図である。
【図４】  （Ａ）は図１の実施の形態で用いる端子台の平面図、（Ｂ）は図４（Ａ）のIVＢ−IVＢ線断面図、（Ｃ）は図１の実施の形態で用いる端子台の底面図である。
【図５】  従来のブッフホルツ継電器を備えた油入変圧器の概略外観図である。
【図６】  従来のブッフホルツ継電器の概略外観斜視図である。
【符号の説明】
１  ブッフホルツ継電器
２  継電器本体
３  端子箱
４  ハウジング
５  閉塞基板
５ａ  対向部分
５ｂ  対向部分の外側に位置する外壁部の外面
８  機械式の検出機構
９  リミットスイッチ（スイッチ手段）
１０  箱本体
１０ｄ  フランジ部
１２  第１の部屋
１３  第２の部屋
１４  オーリング嵌合溝
１５  オーリング
１８  端子台
１９  端子支持台
２０  端子導体
【図１】
0003916781.tif 000002
【図２】
0003916781.tif 000003
【図３】
0003916781.tif 000004
【図４】
0003916781.tif 000005
【図５】
0003916781.tif 000006
【図６】
0003916781.tif 000007